(57)【要約】【課題】異動連絡票の出力漏れを抑制できる表示制御プログラムを提供する。【解決手段】表示制御プログラムは、国民健康保険被保険者の資格喪失に関する入力を受け付けると、入力に応じて国民健康保険被保険者の資格喪失の更新処理を実行し、更新処理の際に、資格喪失の更新処理がなされた国民健康保険被保険者に世帯主又は擬制世帯主が含まれる場合、旧国保被保険者が同一世帯に存在するか否かを判定し、判定結果に応じて、旧国保被保険者の異動連絡票の起票に関する画面を起動する、処理をコンピュータに実行させることを特徴とする。【選択図】図４
2018010527.tif 000002
【特許請求の範囲】
【請求項１】
国民健康保険被保険者の資格喪失に関する入力を受け付けると、入力に応じて前記国民健康保険被保険者の資格喪失の更新処理を実行し、
更新処理の際に、資格喪失の更新処理がなされた前記国民健康保険被保険者に世帯主又は擬制世帯主が含まれる場合、旧国保被保険者が同一世帯に存在するか否かを判定し、
判定結果に応じて、旧国保被保険者の異動連絡票の起票に関する画面を起動する、
処理をコンピュータに実行させることを特徴とする表示制御プログラム。
【請求項２】
特定の世帯のうち、国民健康保険の資格を有する者のみが表示された国民健康保険の資格喪失の登録を受け付ける画面を表示し、
資格喪失の登録に関する入力を受け付けると、入力内容に応じて資格喪失の登録を実行し、
資格喪失の登録がなされた者が識別可能な画面を表示し、
資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、
判定結果に応じて、旧国保被保険者の異動連絡票の起票に関する画面を表示する、
処理をコンピュータに実行させることを特徴とする表示制御プログラム。
【請求項３】
擬制世帯の世帯主変更に関する入力を受け付けると、入力に応じて前記擬制世帯の世帯主変更の更新処理を実行し、
更新処理の際に、世帯主変更の更新処理がなされた前記擬制世帯の世帯主が擬主喪失となる場合、旧国保被保険者が同一世帯に存在するか否かを判定し、
判定結果に応じて、旧国保被保険者の異動連絡票の起票に関する画面を起動する、
処理をコンピュータに実行させることを特徴とする表示制御プログラム。
【請求項４】
国民健康保険被保険者の資格喪失に関する入力を受け付けると、入力に応じて前記国民健康保険被保険者の資格喪失の更新処理を実行し、
資格喪失の更新処理がなされた前記国民健康保険被保険者に旧被扶養者が含まれるか否かを判定し、
判定結果に応じて、旧被扶養者の異動連絡票の起票に関する画面を起動する、
処理をコンピュータに実行させることを特徴とする表示制御プログラム。
【請求項５】
前記判定結果に応じて、前記旧国保被保険者又は前記旧被扶養者の選択に関する画面を起動又は表示する処理を含み、
前記異動連絡票の起票に関する画面を起動又は表示する処理は、前記旧国保被保険者又は前記旧被扶養者が選択され、特定の画像に対する操作を検出すると、前記異動連絡票の起票に関する画面を起動又は表示する、
ことを特徴とする請求項１から４のいずれか１項に記載の表示制御プログラム。
【請求項６】
国民健康保険被保険者の資格喪失に関する入力を受け付けると、入力に応じて前記国民健康保険被保険者の資格喪失の更新処理を実行し、
更新処理の際に、資格喪失の更新処理がなされた前記国民健康保険被保険者に世帯主又は擬制世帯主が含まれる場合、旧国保被保険者が同一世帯に存在するか否かを判定し、
判定結果に応じて、旧国保被保険者の異動連絡票の起票に関する画面を起動する、
処理をコンピュータが実行することを特徴とする表示制御方法。
【請求項７】
特定の世帯のうち、国民健康保険の資格を有する者のみが表示された国民健康保険の資格喪失の登録を受け付ける画面を表示し、
資格喪失の登録に関する入力を受け付けると、入力内容に応じて資格喪失の登録を実行し、
資格喪失の登録がなされた者が識別可能な画面を表示し、
資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、
判定結果に応じて、旧国保被保険者の異動連絡票の起票に関する画面を表示する、
処理をコンピュータが実行することを特徴とする表示制御方法。
【請求項８】
擬制世帯の世帯主変更に関する入力を受け付けると、入力に応じて前記擬制世帯の世帯主変更の更新処理を実行し、
更新処理の際に、世帯主変更の更新処理がなされた前記擬制世帯の世帯員に世帯主が含まれる場合、旧国保被保険者が同一世帯に存在するか否かを判定し、
判定結果に応じて、旧国保被保険者の異動連絡票の起票に関する画面を起動する、
処理をコンピュータが実行することを特徴とする表示制御方法。
【請求項９】
国民健康保険被保険者の資格喪失に関する入力を受け付けると、入力に応じて前記国民健康保険被保険者の資格喪失の更新処理を実行し、
資格喪失の更新処理がなされた前記国民健康保険被保険者に旧被扶養者が含まれるか否かを判定し、
判定結果に応じて、旧被扶養者の異動連絡票の起票に関する画面を起動する、
処理をコンピュータが実行することを特徴とする表示制御方法。
【請求項１０】
国民健康保険被保険者の資格喪失に関する入力を受け付けると、入力に応じて前記国民健康保険被保険者の資格喪失の更新処理を実行し、
更新処理の際に、資格喪失の更新処理がなされた前記国民健康保険被保険者に世帯主又は擬制世帯主が含まれる場合、旧国保被保険者が同一世帯に存在するか否かを判定し、
判定結果に応じて、旧国保被保険者の異動連絡票の起票に関する画面を起動する、
処理を実行する機能を有するプロセッサを備える、ことを特徴とする情報処理装置。
【請求項１１】
特定の世帯のうち、国民健康保険の資格を有する者のみが表示された国民健康保険の資格喪失の登録を受け付ける画面を表示し、資格喪失の登録に関する入力を受け付けると、入力内容に応じて資格喪失の登録を実行し、
資格喪失の登録がなされた者が識別可能な画面を表示し、資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、
判定結果に応じて、旧国保被保険者の異動連絡票の起票に関する画面を表示する、
処理を実行する機能を有するプロセッサを備える、ことを特徴とする情報処理装置。
【請求項１２】
擬制世帯の世帯主変更に関する入力を受け付けると、入力に応じて前記擬制世帯の世帯主変更の更新処理を実行し、
更新処理の際に、世帯主変更の更新処理がなされた前記擬制世帯の世帯員に世帯主が含まれる場合、旧国保被保険者が同一世帯に存在するか否かを判定し、
判定結果に応じて、旧国保被保険者の異動連絡票の起票に関する画面を起動する、
処理を実行する機能を有するプロセッサを備える、ことを特徴とする情報処理装置。
【請求項１３】
国民健康保険被保険者の資格喪失に関する入力を受け付けると、入力に応じて前記国民健康保険被保険者の資格喪失の更新処理を実行し、
資格喪失の更新処理がなされた前記国民健康保険被保険者に旧被扶養者が含まれるか否かを判定し、
判定結果に応じて、旧被扶養者の異動連絡票の起票に関する画面を起動する、
処理を実行する機能を有するプロセッサを備える、ことを特徴とする情報処理装置。
【発明の詳細な説明】
【技術分野】
【０００１】
本件は、表示制御プログラム、表示制御方法、及び情報処理装置に関する。
【背景技術】
【０００２】
住民の国民健康保険に関する情報を管理するシステムが知られている（例えば特許文献１参照）。
【先行技術文献】
【特許文献】
【０００３】
【特許文献１】特開２００８−２１７７３２号公報
【発明の概要】
【発明が解決しようとする課題】
【０００４】
ところで、国民健康保険の資格を有する住民がその資格を管理する自治体から別の自治体に転出すると、転出元の自治体職員は国民健康保険の資格喪失をシステムに登録する手続きを行っている。また、転出する住民が世帯主又は擬制世帯主の場合であって、その世帯に旧国保被保険者が存在する場合には、自治体職員は旧国保被保険者について特定同一世帯所属者異動連絡票を出力する手続きを行っている。同様に、転出する住民に旧被扶養者が含まれる場合には、自治体職員は旧被扶養者について旧被扶養者異動連絡票を出力する手続きを行っている。転出する住民が特定同一世帯所属者異動連絡票や旧被扶養者異動連絡票を転出先の自治体に提出することにより、国民健康保険の保険料について転出先の自治体で世帯割軽減の適用を受けることができる。
【０００５】
しかしながら、資格喪失を登録する手続きと特定同一世帯所属者異動連絡票を出力する手続きは独立した手続きであるため、自治体職員が資格喪失を登録する手続きを行っても、旧国保被保険者の存在に気付かないと、特定同一世帯所属者異動連絡票の出力漏れが発生する。同様に、資格喪失を登録する手続きと旧被扶養者異動連絡票を出力する手続きも独立した手続きであるため、自治体職員が資格喪失を登録する手続きを行っても、旧被扶養者の存在に気付かないと、旧被扶養者異動連絡票の出力漏れが発生する。これらの場合、特定同一世帯所属者異動連絡票や旧被扶養者異動連絡票を転出先の自治体に提出することができず、世帯割軽減の適用を受けられないという問題がある。
【０００６】
そこで、１つの側面では、異動連絡票の出力漏れを抑制できる表示制御プログラム、表示制御方法、及び情報処理装置を提供することを目的とする。
【課題を解決するための手段】
【０００７】
本明細書に開示の表示制御プログラムは、国民健康保険被保険者の資格喪失に関する入力を受け付けると、入力に応じて前記国民健康保険被保険者の資格喪失の更新処理を実行し、更新処理の際に、資格喪失の更新処理がなされた前記国民健康保険被保険者に世帯主又は擬制世帯主が含まれる場合、旧国保被保険者が同一世帯に存在するか否かを判定し、判定結果に応じて、旧国保被保険者の異動連絡票の起票に関する画面を起動する、処理をコンピュータに実行させることを特徴とする表示制御プログラムである。
【０００８】
本明細書に開示の表示制御プログラムは、特定の世帯のうち、国民健康保険の資格を有する者のみが表示された国民健康保険の資格喪失の登録を受け付ける画面を表示し、資格喪失の登録に関する入力を受け付けると、入力内容に応じて資格喪失の登録を実行し、資格喪失の登録がなされた者が識別可能な画面を表示し、資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、判定結果に応じて、旧国保被保険者の異動連絡票の起票に関する画面を表示する、処理をコンピュータに実行させることを特徴とする表示制御プログラムである。
【０００９】
本明細書に開示の表示制御プログラムは、擬制世帯の世帯主変更に関する入力を受け付けると、入力に応じて前記擬制世帯の世帯主変更の更新処理を実行し、更新処理の際に、世帯主変更の更新処理がなされた前記擬制世帯の世帯主が擬主喪失となる場合、旧国保被保険者が同一世帯に存在するか否かを判定し、判定結果に応じて、旧国保被保険者の異動連絡票の起票に関する画面を起動する、処理をコンピュータに実行させることを特徴とする表示制御プログラムである。
【００１０】
本明細書に開示の表示制御プログラムは、国民健康保険被保険者の資格喪失に関する入力を受け付けると、入力に応じて前記国民健康保険被保険者の資格喪失の更新処理を実行し、資格喪失の更新処理がなされた前記国民健康保険被保険者に旧被扶養者が含まれるか否かを判定し、判定結果に応じて、旧被扶養者の異動連絡票の起票に関する画面を起動する、処理をコンピュータに実行させることを特徴とする表示制御プログラムである。
【００１１】
本明細書に開示の表示制御方法は、国民健康保険被保険者の資格喪失に関する入力を受け付けると、入力に応じて前記国民健康保険被保険者の資格喪失の更新処理を実行し、更新処理の際に、資格喪失の更新処理がなされた前記国民健康保険被保険者に世帯主又は擬制世帯主が含まれる場合、旧国保被保険者が同一世帯に存在するか否かを判定し、判定結果に応じて、旧国保被保険者の異動連絡票の起票に関する画面を起動する、処理をコンピュータが実行することを特徴とする表示制御方法である。
【００１２】
本明細書に開示の表示制御方法は、特定の世帯のうち、国民健康保険の資格を有する者のみが表示された国民健康保険の資格喪失の登録を受け付ける画面を表示し、資格喪失の登録に関する入力を受け付けると、入力内容に応じて資格喪失の登録を実行し、資格喪失の登録がなされた者が識別可能な画面を表示し、資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、判定結果に応じて、旧国保被保険者の異動連絡票の起票に関する画面を表示する、処理をコンピュータが実行することを特徴とする表示制御方法である。
【００１３】
本明細書に開示の表示制御方法は、擬制世帯の世帯主変更に関する入力を受け付けると、入力に応じて前記擬制世帯の世帯主変更の更新処理を実行し、更新処理の際に、世帯主変更の更新処理がなされた前記擬制世帯の世帯員に世帯主が含まれる場合、旧国保被保険者が同一世帯に存在するか否かを判定し、判定結果に応じて、旧国保被保険者の異動連絡票の起票に関する画面を起動する、処理をコンピュータが実行することを特徴とする表示制御方法である。
【００１４】
本明細書に開示の表示制御方法は、国民健康保険被保険者の資格喪失に関する入力を受け付けると、入力に応じて前記国民健康保険被保険者の資格喪失の更新処理を実行し、資格喪失の更新処理がなされた前記国民健康保険被保険者に旧被扶養者が含まれるか否かを判定し、判定結果に応じて、旧被扶養者の異動連絡票の起票に関する画面を起動する、処理をコンピュータが実行することを特徴とする表示制御方法である。
【００１５】
本明細書に開示の情報処理装置は、国民健康保険被保険者の資格喪失に関する入力を受け付けると、入力に応じて前記国民健康保険被保険者の資格喪失の更新処理を実行し、更新処理の際に、資格喪失の更新処理がなされた前記国民健康保険被保険者に世帯主又は擬制世帯主が含まれる場合、旧国保被保険者が同一世帯に存在するか否かを判定し、判定結果に応じて、旧国保被保険者の異動連絡票の起票に関する画面を起動する、処理を実行する機能を有するプロセッサを備える、ことを特徴とする情報処理装置である。
【００１６】
本明細書に開示の情報処理装置は、特定の世帯のうち、国民健康保険の資格を有する者のみが表示された国民健康保険の資格喪失の登録を受け付ける画面を表示し、資格喪失の登録に関する入力を受け付けると、入力内容に応じて資格喪失の登録を実行し、資格喪失の登録がなされた者が識別可能な画面を表示し、資格喪失の登録がなされた者に世帯主又は擬制世帯主が含まれる場合、前記資格喪失の登録を受け付ける画面と前記資格喪失の登録がなされた者が識別可能な画面とに表示されていない旧国保被保険者が前記特定の世帯に存在するか否かを判定し、判定結果に応じて、旧国保被保険者の異動連絡票の起票に関する画面を表示する、処理を実行する機能を有するプロセッサを備える、ことを特徴とする情報処理装置である。
【００１７】
本明細書に開示の情報処理装置は、擬制世帯の世帯主変更に関する入力を受け付けると、入力に応じて前記擬制世帯の世帯主変更の更新処理を実行し、更新処理の際に、世帯主変更の更新処理がなされた前記擬制世帯の世帯員に世帯主が含まれる場合、旧国保被保険者が同一世帯に存在するか否かを判定し、判定結果に応じて、旧国保被保険者の異動連絡票の起票に関する画面を起動する、処理を実行する機能を有するプロセッサを備える、ことを特徴とする情報処理装置である。
【００１８】
本明細書に開示の情報処理装置は、国民健康保険被保険者の資格喪失に関する入力を受け付けると、入力に応じて前記国民健康保険被保険者の資格喪失の更新処理を実行し、資格喪失の更新処理がなされた前記国民健康保険被保険者に旧被扶養者が含まれるか否かを判定し、判定結果に応じて、旧被扶養者の異動連絡票の起票に関する画面を起動する、処理を実行する機能を有するプロセッサを備える、ことを特徴とする情報処理装置である。
【発明の効果】
【００１９】
本明細書に開示の表示制御プログラム、表示制御方法、及び情報処理装置によれば、異動連絡票の出力漏れを抑制することができる。
【図面の簡単な説明】
【００２０】
【図１】図１は国保管理システムの一例を示す図である。
【図２】図２は国保サーバのハードウェア構成の一例である。
【図３】図３は国保サーバの機能ブロック図の一例である。
【図４】図４は第１実施形態に係る国保サーバの動作の一例を示すフローチャートである。
【図５】図５は第１実施形態に係る初期メニュー画面の一例である。
【図６】図６は第１実施形態に係る資格喪失メニュー画面の一例である。
【図７】図７は第１実施形態に係る資格喪失画面の一例である。
【図８】図８は第１実施形態に係る異動者選択画面の一例である。
【図９】図９は第１実施形態に係る更新完了メッセージの一例である。
【図１０】図１０は第１実施形態に係る警告メッセージの一例である。
【図１１】図１１は第１実施形態に係るガイドメッセージの一例である。
【図１２】図１２は第１実施形態に係る旧国保被保険者画面の一例である。
【図１３】図１３は第１実施形態に係る異動連絡票起票画面の一例である。
【図１４】図１４は第１実施形態に係る資格喪失画面の他の一例である。
【図１５】図１５は第２実施形態に係る国保サーバの動作の一例を示すフローチャートである。
【図１６】図１６は第２実施形態に係る初期メニュー画面の一例である。
【図１７】図１７は第２実施形態に係る世帯主変更画面の一例である。
【図１８】図１８は第２実施形態に係る異動者選択画面の一例である。
【図１９】図１９は第２実施形態に係る更新完了メッセージの一例である。
【図２０】図２０は第２実施形態に係る警告メッセージの一例である。
【図２１】図２１は第２実施形態に係るガイドメッセージの一例である。
【図２２】図２２は第２実施形態に係る旧国保被保険者画面の一例である。
【図２３】図２３は第３実施形態に係る国保サーバの動作の一例を示すフローチャートである。
【図２４】図２４は第３実施形態に係る初期メニュー画面の一例である。
【図２５】図２５は第３実施形態に係る資格喪失メニュー画面の一例である。
【図２６】図２６は第３実施形態に係る資格喪失画面の一例である。
【図２７】図２７は第３実施形態に係る異動者選択画面の一例である。
【図２８】図２８は第３実施形態に係る更新完了メッセージの一例である。
【図２９】図２９は第３実施形態に係る警告メッセージの一例である。
【図３０】図３０は第３実施形態に係る旧被扶養者画面の一例である。
【図３１】図３１は第３実施形態に係る異動連絡票起票画面の一例である。
【図３２】図３２は第３実施形態に係る資格喪失画面の他の一例である。
【発明を実施するための形態】
【００２１】
以下、本件を実施するための形態について図面を参照して説明する。
【００２２】
（第１実施形態）
図１は国保管理システムＳの一例を示す図である。国保管理システムＳは国民健康保険（以下、国保という）の資格を管理するコンピュータシステムである。国保管理システムＳは、端末装置１００、情報処理装置としての国保サーバ２００、及び国保データベース（以下、国保ＤＢという）３００を含んでいる。図１において、国保ＤＢ３００は国保サーバ２００の別体として示されているが、国保ＤＢ３００は国保サーバ２００の内部に含まれていてもよい。
【００２３】
端末装置１００としては、例えば据置型（デスクトップタイプ）のPersonal Computer（ＰＣ）がある。端末装置１００として携帯型（モバイルタイプ）のＰＣやスマートデバイスが利用されてもよい。スマートデバイスとしては、例えばスマートフォンやタブレット端末がある。一方、国保サーバ２００及び国保ＤＢ３００としては、例えばサーバ装置がある。尚、図１において、３台の端末装置１００が示されているが、端末装置１００は少なくとも１台あればよい。
【００２４】
ここで、端末装置１００、国保サーバ２００、及び国保ＤＢ３００は例えば自治体（すなわち市区町村）の庁舎内に配置される。端末装置１００及び国保サーバ２００は通信ネットワークＮＷを介して互いに接続されている。通信ネットワークＮＷとしては例えばLocal Area Network（ＬＡＮ）がある。通信ネットワークＮＷは有線であってもよいし、無線であってもよい。また、国保サーバ２００は国保ＤＢ３００とも接続されている。国保サーバ２００と国保ＤＢ３００との接続は通信ケーブルによって直接的に接続されていてもよいし、通信機器（例えばスイッチングハブ）を介して間接的に接続されていてよい。
【００２５】
端末装置１００は自治体職員の操作に応じて各種の情報処理を実行する。例えば、自治体職員が住民から手続きの依頼を受け付けると、自治体職員の操作に応じて端末装置１００は各種の画面を出力（具体的には表示）したり、各種の帳票を印刷装置に印刷させたりする。例えば、自治体職員の操作に応じて端末装置１００は各種の情報を国保サーバ２００に送信したり、各種の情報を国保サーバ２００から受け付けたりする。尚、端末装置１００に表示される画面の詳細については後述する。
【００２６】
国保サーバ２００は国保に関する各種の情報処理を実行する。より詳しくは、国保サーバ２００は端末装置１００から送信された情報を受け付けると、受け付けた情報に基づいて各種の情報処理を実行する。例えば、国保サーバ２００は国保における加入、喪失、変更といった資格情報を国保ＤＢ３００に世帯単位で登録して管理する。例えば、国保サーバ２００は国保ＤＢ３００に登録された資格情報を取得して端末装置１００に送信する。したがって、端末装置１００は国保サーバ２００から送信された資格情報を受け付けると、受け付けた資格情報を画面上に表示する。尚、国保サーバ２００の詳細については後述する。
【００２７】
次に、図２を参照して、国保サーバ２００のハードウェア構成について説明する。尚、上述した端末装置１００も基本的に国保サーバ２００と同様のハードウェア構成であるため説明を省略する。
【００２８】
図２は国保サーバ２００のハードウェア構成の一例である。図２に示すように、国保サーバ２００は、少なくともCentral Processing Unit（ＣＰＵ）２００Ａ、Random Access Memory（ＲＡＭ）２００Ｂ、Read Only Memory（ＲＯＭ）２００Ｃ及びネットワークＩ／Ｆ（インタフェース）２００Ｄを含んでいる。国保サーバ２００は、必要に応じて、Hard Disk Drive（ＨＤＤ）２００Ｅ、入力Ｉ／Ｆ２００Ｆ、出力Ｉ／Ｆ２００Ｇ、入出力Ｉ／Ｆ２００Ｈ、ドライブ装置２００Ｉの少なくとも１つを含んでいてもよい。ＣＰＵ２００Ａからドライブ装置２００Ｉまでは、内部バス２００Ｊによって互いに接続されている。少なくともＣＰＵ２００ＡとＲＡＭ２００Ｂとが協働することによってコンピュータが実現される。
【００２９】
入力Ｉ／Ｆ２００Ｆには、入力装置７１０が接続される。入力装置７１０としては、例えばキーボードやマウスなどがある。
出力Ｉ／Ｆ２００Ｇには、表示装置７２０が接続される。表示装置７２０としては、例えば液晶ディスプレイがある。
入出力Ｉ／Ｆ２００Ｈには、半導体メモリ７３０が接続される。半導体メモリ７３０としては、例えばＵＳＢメモリやフラッシュメモリなどがある。入出力Ｉ／Ｆ２００Ｈは、半導体メモリ７３０に記憶されたプログラムやデータを読み取る。
入力Ｉ／Ｆ２００Ｆ及び入出力Ｉ／Ｆ２００Ｈは、例えばＵＳＢポートを備えている。出力Ｉ／Ｆ２００Ｇは、例えばディスプレイポートを備えている。
【００３０】
ドライブ装置２００Ｉには、可搬型記録媒体７４０が挿入される。可搬型記録媒体７４０としては、例えばCompact Disc（ＣＤ）−ＲＯＭ、Digital Versatile Disc（ＤＶＤ）といったリムーバブルディスクがある。ドライブ装置２００Ｉは、可搬型記録媒体７４０に記録されたプログラムやデータを読み込む。
ネットワークＩ／Ｆ２００Ｄは、例えばＬＡＮポートを備えている。ネットワークＩ／Ｆ２００Ｄは通信ネットワークＮＷのほか、国保ＤＢ３００とも接続される。
【００３１】
上述したＲＡＭ２００Ｂには、ＲＯＭ２００ＣやＨＤＤ２００Ｅに記憶されたプログラムがＣＰＵ２００Ａによって格納される。ＲＡＭ２００Ｂには、可搬型記録媒体７４０に記録されたプログラムがＣＰＵ２００Ａによって格納される。格納されたプログラムをＣＰＵ２００Ａが実行することにより、後述する各種の機能が実現され、また、後述する各種の処理が実行される。尚、プログラムは後述するフローチャートに応じたものとすればよい。
【００３２】
次に、図３を参照して、国保サーバ２００の機能について説明する。
【００３３】
図３は国保サーバ２００の機能ブロック図の一例である。国保サーバ２００は、処理実行部２０１、世帯判定部２０２、及び起動表示部２０３を含んでいる。
【００３４】
処理実行部２０１は国保の資格を有する住民である国保被保険者の資格喪失に関する入力を受け付けると、入力に応じて国保被保険者の資格喪失の更新処理を実行する。例えば、処理実行部２０１は特定の世帯のうち、国保被保険者のみが表示された国保の資格喪失の登録を受け付ける異動者選択画面を端末装置１００に表示し、資格喪失の登録に関する入力を受け付けると、入力内容に応じて資格喪失の登録を実行する。処理実行部２０１は登録の実行を開始すると、その旨を世帯判定部２０２に出力する。
【００３５】
世帯判定部２０２は処理実行部２０１による更新処理の際に、資格喪失の更新処理がなされた国保被保険者に世帯主又は擬制世帯主が含まれる場合、旧国保被保険者がその世帯主の世帯と同一の世帯に存在するか否かを判定する。より詳しくは、世帯判定部２０２は資格喪失の登録がなされた国保被保険者が識別可能な後述する資格喪失画面を表示する。そして、世帯判定部２０２は資格喪失の登録がなされた国保被保険者に世帯主又は擬制世帯主が含まれる場合、資格喪失の登録を受け付ける異動者選択画面と資格喪失の登録がなされた国保被保険者が識別可能な資格喪失画面とに表示されていない旧国保被保険者が特定の世帯に存在するか否かを判定する。尚、擬制世帯主は世帯主が国保に加入しておらず、その世帯に国保被保険者がいる世帯（擬制世帯）の世帯主をいう。擬制世帯主は擬主と省略されることもある。一方、擬制世帯以外の世帯はいわゆる普通世帯を指し、普通世帯の世帯主は単に世帯主と呼ばれたり、普通世帯主と呼ばれたりする。
【００３６】
起動表示部２０３は世帯判定部２０２による判定結果に応じて、旧国保被保険者の異動連絡票の起票に関する異動連絡票起票画面を起動して表示する。尚、処理実行部２０１、世帯判定部２０２、及び起動表示部２０３は、以上説明した情報処理以外の情報処理も実行するが、その情報処理の詳細については第２実施形態及び第３実施形態で説明する。
【００３７】
次に、図４から図１４を参照して、第１実施形態に係る国保サーバ２００の動作について説明する。
【００３８】
図４は第１実施形態に係る国保サーバ２００の動作の一例を示すフローチャートである。図５は第１実施形態に係る初期メニュー画面の一例である。図６は第１実施形態に係る資格喪失メニュー画面の一例である。図７は第１実施形態に係る資格喪失画面の一例である。図８は第１実施形態に係る異動者選択画面の一例である。図９は第１実施形態に係る更新完了メッセージの一例である。
【００３９】
図１０は第１実施形態に係る警告メッセージの一例である。図１１は第１実施形態に係るガイドメッセージの一例である。図１２は第１実施形態に係る旧国保被保険者画面の一例である。図１３は第１実施形態に係る異動連絡票起票画面の一例である。図１４は第１実施形態に係る資格喪失画面の他の一例である。
【００４０】
まず、図４に示すように、処理実行部２０１はメニュー画面を表示する（ステップＳ１０１）。より詳しくは、処理実行部２０１は端末装置１００から初期メニュー画面の起動要求を受け付けると、初期メニュー画面に関する情報を端末装置１００に送信する。端末装置１００は処理実行部２０１から送信された情報を受け付けると、図５に示すように、初期メニュー画面を表示する。自治体職員はポインタＰｔを国保の資格に関するボタンを表す画像（以下、ボタン画像という）５１に重畳して選択する操作を行う。次いで、自治体職員はポインタＰｔを資格喪失に関するボタン画像５２に重畳して選択する操作を行う。次いで、自治体職員はポインタＰｔを実行に関するボタン画像５３に重畳して押下する操作を行う。これにより、端末装置１００は資格喪失メニュー画面の起動要求を処理実行部２０１に送信する。
【００４１】
処理実行部２０１は端末装置１００から資格喪失メニュー画面の起動要求を受け付けると、資格喪失メニュー画面に関する情報を端末装置１００に送信する。端末装置１００は処理実行部２０１から送信された情報を受け付けると、図６に示すように、資格喪失メニュー画面を表示する。自治体職員はポインタＰｔを国内転出に関するボタン画像６１に重畳して選択する操作を行う。次いで、自治体職員はポインタＰｔを実行に関するボタン画像６２に重畳して押下する操作を行う。これにより、端末装置１００は資格喪失画面の起動要求を処理実行部２０１に送信する。
【００４２】
ステップＳ１０１の処理が完了すると、図４に示すように、処理実行部２０１は資格喪失画面を表示する（ステップＳ１０２）。より詳しくは、処理実行部２０１は端末装置１００から資格喪失画面の起動要求を受け付けると、資格喪失画面に関する情報を端末装置１００に送信する。端末装置１００は処理実行部２０１から送信された情報を受け付けると、資格情報を含まない資格喪失画面を表示する。自治体職員は端末装置１００に表示された資格装置画面の入力欄に特定の世帯を表す記号番号や世帯番号を入力し、ポインタＰｔにより特定のボタン画像を押下すると、端末装置１００は入力欄に入力された記号番号や世帯番号を入力情報として処理実行部２０１に送信する。処理実行部２０１は入力情報を受け付けると、国保ＤＢ３００から入力情報に応じた資格情報を取得し、端末装置１００に送信する。これにより、図７に示すように、端末装置１００は記号番号又は世帯番号に応じた特定の世帯の資格情報を含む資格喪失画面を表示する。資格情報は、世帯主名、その世帯が普通世帯か擬制世帯かを表す文字（具体的には「普」又は「擬」）、その世帯の住所、その世帯に所属する世帯員、各世帯員の氏名、生年月日、続柄、資格（例えば国保被保険者を表す文字「被」や擬制世帯主を表す文字「擬」）などを含んでいる。図７において、例えば世帯主は富士通一郎であり、普通世帯であることが表されている。資格喪失画面では、普通世帯であれば国保被保険者のみが世帯員として表示され、旧国保被保険者は世帯員として表示されない制御が行われている。
【００４３】
ステップＳ１０２の処理が完了すると、図４に示すように、処理実行部２０１は異動者選択ボタンの押下を検出するまで待機する（ステップＳ１０３：ＮＯ）。処理実行部２０１は異動者選択ボタンの押下を検出すると（ステップＳ１０３：ＹＥＳ）、異動者選択画面を表示する（ステップＳ１０４）。より詳しくは、図７に示すように、資格情報を含む資格喪失画面において、自治体職員はポインタＰｔを異動者選択に関するボタン画像７１に重畳して押下する操作を行う。これにより、端末装置１００は異動者選択画面の起動要求を処理実行部２０１に送信する。処理実行部２０１は端末装置１００から異動者選択画面の起動要求を受け付けると、異動者選択画面に関する情報を端末装置１００に送信する。端末装置１００は処理実行部２０１から送信された情報を受け付けると、図８に示すように、異動者選択画面を表示する。
【００４４】
ステップＳ１０４の処理が完了すると、図４に示すように、処理実行部２０１は実行ボタンの押下を検出するまで待機する（ステップＳ１０５：ＮＯ）。処理実行部２０１は実行ボタンの押下を検出すると（ステップＳ１０５：ＹＥＳ）、資格喪失の処理を実行する（ステップＳ１０６）。より詳しくは、図８に示すように、資格情報を含む異動者選択画面において、自治体職員はポインタＰｔを資格喪失対象の世帯員に重畳して選択する操作を行う。次いで、自治体職員はポインタＰｔを実行に関するボタン画像８１に重畳して押下する操作を行う。これにより、端末装置１００は資格喪失の更新処理又は登録処理（以下、単に更新処理という）に関する実行要求を処理実行部２０１に送信する。処理実行部２０１は端末装置１００から実行要求を受け付けると、資格喪失の更新処理を実行する。
【００４５】
ステップＳ１０６の処理が完了すると、図４に示すように、世帯判定部２０２は世帯主を含むか否かを判定する（ステップＳ１０７）。世帯判定部２０２は資格喪失対象の世帯員に世帯主が含まれていれば、世帯判定部２０２は世帯主を含むと判定する（ステップＳ１０７：ＹＥＳ）。第１実施形態の場合、図８に示すように、資格喪失対象の世帯員に世帯主（具体的には「富士通一郎」）が含まれるため、世帯判定部２０２は世帯主を含むと判定する。さらに、世帯判定部２０２は世帯主を含むと判定した場合、旧国保被保険者が存在するか否かを判定する（ステップＳ１０８）。世帯判定部２０２はその世帯の資格情報に世帯員として旧国保被保険者が存在する場合、旧国保被保険者が存在すると判定する（ステップＳ１０８：ＹＥＳ）。尚、ステップＳ１０７の処理において、世帯主を含む世帯が擬制世帯である場合には、処理実行部２０１が資格喪失の更新処理を実行することによって全喪世帯となるか否かも併せて判定し、全喪世帯となる場合に世帯判定部２０２はステップＳ１０８の処理を実行する。
【００４６】
世帯判定部２０２は旧国保被保険者が存在すると判定した場合、更新完了メッセージと資格喪失画面を表示する（ステップＳ１０９）。より詳しくは、世帯判定部２０２は、処理実行部２０１による資格喪失の更新処理が完了すると、更新完了を表す所定の更新完了メッセージと更新処理後の資格情報を端末装置１００に送信する。端末装置１００は更新完了メッセージと更新処理後の資格情報を受け付けると、図９に示すように、更新処理後の資格情報を含む資格喪失画面を表示し、更新完了メッセージを含むポップアップ画面を資格喪失画面に重畳して表示する。図９において、更新処理後の資格情報の一部として、例えば「転出国内  Ｈ２８．０６．０１」が示されている。尚、更新完了メッセージのほか、各種メッセージを含むポップアップ画面が表示されている間、端末装置１００は画面右隅に表示される各種ボタン画像を押下不能に制御する。
【００４７】
ステップＳ１０９の処理が完了すると、図４に示すように、世帯判定部２０２は警告メッセージを表示する（ステップＳ１１０）。より詳しくは、図９に示すように、自治体職員はポインタＰｔを、更新完了メッセージを含むポップアップ画面上の了解を表すボタン画像９１に重畳して押下する操作を行う。これにより、端末装置１００は警告メッセージの表示要求を世帯判定部２０２に送信する。世帯判定部２０２は端末装置１００から表示要求を受け付けると、警告を表す所定の警告メッセージを端末装置１００に送信する。端末装置１００は警告メッセージを受け付けると、図１０に示すように、警告メッセージを含むポップアップ画面を資格喪失画面に重畳して表示する。すなわち、自治体職員がポインタＰｔをボタン画像９１に重畳して押下する操作を行うと、端末装置１００は動的に警告メッセージを表示する。
【００４８】
ステップＳ１１０の処理が完了すると、図４に示すように、世帯判定部２０２は旧国保被保険者画面を表示する（ステップＳ１１１）。より詳しくは、図１０に示すように、自治体職員はポインタＰｔを、警告メッセージを含むポップアップ画面上の了解を表すボタン画像１０１に重畳して押下する操作を行う。これにより、端末装置１００は旧国保被保険者画面の表示要求を世帯判定部２０２に送信する。世帯判定部２０２は端末装置１００から表示要求を受け付けると、旧国保被保険者画面に関する情報と異動連絡票の出力を案内する所定のガイドメッセージを端末装置１００に送信する。端末装置１００は世帯判定部２０２から送信された情報とガイドメッセージを受け付けると、図１１に示すように、旧国保被保険者画面を表示し、ガイドメッセージを含むポップアップ画面を旧国保被保険者画面に重畳して表示する。すなわち、自治体職員がポインタＰｔをボタン画像１０１に重畳して押下する操作を行うと、資格喪失画面から旧国保被保険者画面に動的に遷移する。旧国保被保険者画面では、世帯員として国保被保険者のみならず、世帯員として旧国保被保険者も表示される制御が行われている。旧国保被保険者の世帯離脱・喪失情報には、後期高齢者医療制度の加入を表す文字「後期加入」や、それに関連する情報（例えば国保資格喪失日など）が出現する。
【００４９】
ステップＳ１１１の処理が完了すると、図４に示すように、世帯判定部２０２は異動連絡票ボタンの押下を検出したか否かを判定する（ステップＳ１１２）。世帯判定部２０２は異動連絡票ボタンの押下を検出すると（ステップＳ１１２：ＹＥＳ）、起動表示部２０３は異動連絡票起票画面を表示する（ステップＳ１１３）。より詳しくは、図１１に示すように、自治体職員はポインタＰｔを、ガイドメッセージを含むポップアップ画面上の了解を表すボタン画像１１１に重畳して押下する操作を行う。これにより、ガイドメッセージを含むポップアップ画面は端末装置１００から消える。次いで、図１２に示すように、自治体職員は世帯離脱・喪失情報に出現した文字「後期加入」や年齢などを確認してポインタＰｔを異動連絡票の出力対象の世帯員に重畳して選択する操作を行う。さらに、自治体職員はポインタＰｔを異動連絡票起票画面の表示に関するボタン画像１２１に重畳して押下する操作を行う。これにより、端末装置１００は異動連絡票起票画面の起動要求を起動表示部２０３に送信する。起動表示部２０３は端末装置１００から異動連絡票起票画面の起動要求を受け付けると、異動連絡票起票画面に関する情報を端末装置１００に送信する。端末装置１００は起動表示部２０３から送信された情報を受け付けると、図１３に示すように、旧国保被保険者についての異動連絡票起票画面を表示する。
【００５０】
ステップＳ１１３の処理が完了すると、図４に示すように、起動表示部２０３は閉じるボタンの押下を検出するまで待機する（ステップＳ１１４：ＮＯ）。例えば、自治体職員が旧国保被保険者について特定同一世帯所属者異動連絡票を印刷装置に印刷させる場合、図１３に示すように、ポインタＰｔを異動連絡票の印刷に関するボタン画像１３１に重畳して押下する操作を行う。これにより、端末装置１００は確認メッセージを含むポップアップ画面を表示する。自治体職員がポインタＰｔを例えば印刷の続行を表すボタン画像１３２に重畳して押下する操作を行うと、端末装置１００は特定同一世帯所属者異動連絡票を印刷装置に印刷させる。一方、図４に示すように、起動表示部２０３は閉じるボタンの押下を検出すると（ステップＳ１１４：ＹＥＳ）、ステップＳ１１１の処理に戻り、再び、世帯判定部２０２は旧国保被保険者画面を表示する（図１１及び図１２参照）。
【００５１】
ここで、ステップＳ１１２の処理において、世帯判定部２０２は異動連絡票ボタンの押下を検出しないと（ステップＳ１１２：ＮＯ）、閉じるボタンの押下を検出するまで待機する（ステップＳ１１５：ＮＯ）。世帯判定部２０２は閉じるボタンの押下を検出すると（ステップＳ１１５：ＹＥＳ）、処理実行部２０１は資格喪失画面を表示し（ステップＳ１１６）、処理を終了する。より詳しくは、旧国保被保険者画面（図１２参照）において、自治体職員がポインタＰｔを、旧国保被保険者画面を閉じるボタン画像１２２に重畳して押下する操作を行う。これにより、端末装置１００は資格喪失画面の起動要求を処理実行部２０１に送信する。処理実行部２０１は端末装置１００から資格喪失画面の起動要求を受け付けると、資格喪失画面に関する情報を端末装置１００に送信する。端末装置１００は処理実行部２０１から送信された情報を受け付けると、図１４に示すように、資格喪失画面を表示する。
【００５２】
尚、ステップＳ１０７の処理において、世帯判定部２０２は世帯主を含まないと判定した場合（ステップＳ１０７：ＮＯ）、又は、ステップＳ１０８の処理において、旧国保被保険者が存在しないと判定した場合（ステップＳ１０８：ＮＯ）、更新完了メッセージと資格喪失画面（図９参照）を表示して（ステップＳ１１７）、処理を終了する。
【００５３】
以上、第１実施形態によれば、国保サーバ２００は処理実行部２０１と世帯判定部２０２と起動表示部２０３とを備えている。処理実行部２０１は国保被保険者の資格喪失に関する入力を受け付けると、入力に応じて国保被保険者の資格喪失の更新処理を実行する。世帯判定部２０２は更新処理の際に、資格喪失の更新処理がなされた国保被保険者に擬制世帯主を含む世帯主が含まれる場合、旧国保被保険者が同一世帯に存在するか否かを判定する。起動表示部２０３は判定結果に応じて、旧国保被保険者の異動連絡票の起票に関する異動連絡票起票画面を起動する。これにより、異動連絡票の出力漏れを抑制することができる。
【００５４】
特に、自治体職員がボタン画像１０１（図１０参照）を押下する操作を行うことにより、資格喪失画面から旧国保被保険者画面に動的に遷移し、資格喪失画面では現れない旧国保被保険者が旧国保被保険者画面上に現れる。これにより、自治体職員は旧国保被保険者の存在に気付き易くなり、旧国保被保険者について、異動連絡票の出力漏れを抑制することができる。
【００５５】
（第２実施形態）
続いて、図１５から図２２を参照して、第２実施形態に係る国保サーバ２００の動作について説明する。
【００５６】
図１５は第２実施形態に係る国保サーバ２００の動作の一例を示すフローチャートである。図１６は第２実施形態に係る初期メニュー画面の一例である。図１７は第２実施形態に係る世帯主変更画面の一例である。図１８は第２実施形態に係る異動者選択画面の一例である。
【００５７】
図１９は第２実施形態に係る更新完了メッセージの一例である。図２０は第２実施形態に係る警告メッセージの一例である。図２１は第２実施形態に係るガイドメッセージの一例である。図２２は第２実施形態に係る旧国保被保険者画面の一例である。
【００５８】
まず、図１５に示すように、処理実行部２０１はメニュー画面を表示する（ステップＳ２０１）。第１実施形態でも説明したように、処理実行部２０１は端末装置１００から初期メニュー画面の起動要求を受け付けると、初期メニュー画面に関する情報を端末装置１００に送信する。端末装置１００は処理実行部２０１から送信された情報を受け付けると、図１６に示すように、初期メニュー画面を表示する。自治体職員はポインタＰｔを国保の資格に関するボタン画像１６１に重畳して選択する操作を行う。次いで、自治体職員はポインタＰｔを世帯変更に関するボタン画像１６２に重畳して選択する操作を行う。次いで、自治体職員はポインタＰｔを実行に関するボタン画像１６３に重畳して押下する操作を行う。これにより、端末装置１００は世帯主変更画面の起動要求を処理実行部２０１に送信する。尚、端末装置１００は世帯主変更画面の起動要求の送信に代えて、図６に示すような資格喪失メニュー画面と同様の世帯主変更メニュー画面の起動要求を処理実行部２０１に送信してもよい。
【００５９】
ステップＳ２０１の処理が完了すると、図１５に示すように、処理実行部２０１は世帯主変更画面を表示する（ステップＳ２０２）。より詳しくは、処理実行部２０１は端末装置１００から世帯主変更画面の起動要求を受け付けると、世帯主変更画面に関する情報を端末装置１００に送信する。端末装置１００は処理実行部２０１から送信された情報を受け付けると、資格情報を含まない世帯主変更画面を表示する。自治体職員は端末装置１００に表示された世帯主変更画面の入力欄に特定の世帯を表す記号番号や世帯番号を入力し、ポインタＰｔにより特定のボタン画像を押下すると、端末装置１００は入力欄に入力された記号番号や世帯番号を入力情報として処理実行部２０１に送信する。処理実行部２０１は入力情報を受け付けると、国保ＤＢ３００から入力情報に応じた資格情報を取得し、端末装置１００に送信する。これにより、図１７に示すように、端末装置１００は記号番号又は世帯番号に応じた特定の世帯の資格情報を含む世帯主変更画面を表示する。図１７において、例えば世帯主は富士通正一であり、擬制世帯であることが表されている。世帯主変更画面は、第１実施形態で説明した資格喪失画面と同様に、普通世帯であれば国保被保険者のみが世帯員として表示され、旧国保被保険者は世帯員として表示されない制御が行われている。図１７では、擬制世帯であるため、世帯員として国保被保険者である富士通正子のみならず、国保被保険者でない富士通正一も表示されている。尚、処理実行部２０１が端末装置１００から世帯主変更メニュー画面の起動要求を受け付けた場合、処理実行部２０１は世帯主変更メニュー画面を表示し、世帯主変更メニュー画面上で特定の操作が行われた後に、世帯主変更画面を表示するようにしてもよい。
【００６０】
ステップＳ２０２の処理が完了すると、図１５に示すように、処理実行部２０１は異動者選択ボタンの押下を検出するまで待機する（ステップＳ２０３：ＮＯ）。処理実行部２０１は異動者選択ボタンの押下を検出すると（ステップＳ２０３：ＹＥＳ）、異動者選択画面を表示する（ステップＳ２０４）。より詳しくは、図１７に示すように、資格情報を含む世帯主画面において、自治体職員はポインタＰｔを異動者選択に関するボタン画像１７１に重畳して押下する操作を行う。これにより、端末装置１００は異動者選択画面の起動要求を処理実行部２０１に送信する。処理実行部２０１は端末装置１００から異動者選択画面の起動要求を受け付けると、異動者選択画面に関する情報を端末装置１００に送信する。端末装置１００は処理実行部２０１から送信された情報を受け付けると、図１８に示すように、異動者選択画面を表示する。
【００６１】
ステップＳ２０４の処理が完了すると、図１５に示すように、処理実行部２０１は実行ボタンの押下を検出するまで待機する（ステップＳ２０５：ＮＯ）。処理実行部２０１は実行ボタンの押下を検出すると（ステップＳ２０５：ＹＥＳ）、世帯主変更の処理を実行する（ステップＳ２０６）。より詳しくは、図１８に示すように、資格情報を含む異動者選択画面において、自治体職員はポインタＰｔを、変更対象を含む世帯員に重畳して選択する操作を行う。次いで、自治体職員はポインタＰｔを実行に関するボタン画像１８１に重畳して押下する操作を行う。これにより、端末装置１００は世帯主変更の更新処理に関する実行要求を処理実行部２０１に送信する。処理実行部２０１は端末装置１００から実行要求を受け付けると、世帯主変更の更新処理を実行する。
【００６２】
ステップＳ２０６の処理が完了すると、図１５に示すように、世帯判定部２０２は擬制世帯主が擬主喪失となるか否かを判定する（ステップＳ２０７）。世帯判定部２０２は変更対象の世帯員に擬制世帯主が含まれていれば、世帯判定部２０２は擬制世帯主が擬主喪失となると判定する（ステップＳ２０７：ＹＥＳ）。第２実施形態の場合、図１８に示すように、変更対象の世帯員に擬制世帯の世帯主（具体的には「富士通正一」）が含まれるため、世帯判定部２０２は擬制世帯主が擬主喪失となると判定する。さらに、世帯判定部２０２は擬制世帯主が擬主喪失となると判定した場合、旧国保被保険者が存在するか否かを判定する（ステップＳ２０８）。世帯判定部２０２はその世帯の資格情報に世帯員として旧国保被保険者が存在する場合、旧国保被保険者が存在すると判定する（ステップＳ２０８：ＹＥＳ）。
【００６３】
世帯判定部２０２は旧国保被保険者が存在すると判定した場合、更新完了メッセージと世帯主変更画面を表示する（ステップＳ２０９）。より詳しくは、世帯判定部２０２は、処理実行部２０１による世帯主変更の更新処理が完了すると、更新完了を表す所定の更新完了メッセージと更新処理後の資格情報を端末装置１００に送信する。端末装置１００は更新完了メッセージと更新処理後の資格情報を受け付けると、図１９に示すように、更新処理後の資格情報を含む世帯主変更画面を表示し、更新完了メッセージを含むポップアップ画面を世帯主変更画面に重畳して表示する。図１９において、更新処理後の資格情報の一部として、例えば「擬主喪失  Ｈ２８．０６．０１」が示されている。
【００６４】
ステップＳ２０９の処理が完了すると、図１５に示すように、世帯判定部２０２は警告メッセージを表示する（ステップＳ２１０）。より詳しくは、図１９に示すように、自治体職員はポインタＰｔを、更新完了メッセージを含むポップアップ画面上の了解を表すボタン画像１９１に重畳して押下する操作を行う。これにより、端末装置１００は警告メッセージの表示要求を世帯判定部２０２に送信する。世帯判定部２０２は端末装置１００から表示要求を受け付けると、警告を表す所定の警告メッセージを端末装置１００に送信する。端末装置１００は警告メッセージを受け付けると、図２０に示すように、警告メッセージを含むポップアップ画面を世帯主変更画面に重畳して表示する。すなわち、自治体職員がポインタＰｔをボタン画像１９１に重畳して押下する操作を行うと、端末装置１００は動的に警告メッセージを表示する。
【００６５】
ステップＳ２１０の処理が完了すると、図１５に示すように、世帯判定部２０２は旧国保被保険者画面を表示する（ステップＳ２１１）。より詳しくは、図２０に示すように、自治体職員はポインタＰｔを、警告メッセージを含むポップアップ画面上の了解を表すボタン画像２０Ａに重畳して押下する操作を行う。これにより、端末装置１００は旧国保被保険者画面の表示要求を世帯判定部２０２に送信する。世帯判定部２０２は端末装置１００から表示要求を受け付けると、旧国保被保険者画面に関する情報と異動連絡票の出力を案内する所定のガイドメッセージを端末装置１００に送信する。端末装置１００は世帯判定部２０２から送信された情報とガイドメッセージを受け付けると、図２１に示すように、旧国保被保険者画面を表示し、ガイドメッセージを含むポップアップ画面を旧国保被保険者画面に重畳して表示する。すなわち、自治体職員がポインタＰｔをボタン画像２０Ａに重畳して押下する操作を行うと、世帯主変更画面から旧国保被保険者画面に動的に遷移する。旧国保被保険者画面では世帯員として旧国保被保険者も表示される。旧国保被保険者の世帯離脱・喪失情報には、上述した文字「後期加入」や、それに関連する情報が出現する。
【００６６】
ステップＳ２１１の処理が完了すると、図１５に示すように、世帯判定部２０２は異動連絡票ボタンの押下を検出したか否かを判定する（ステップＳ２１２）。世帯判定部２０２は異動連絡票ボタンの押下を検出すると（ステップＳ２１２：ＹＥＳ）、起動表示部２０３は異動連絡票起票画面を表示する（ステップＳ２１３）。より詳しくは、図２１に示すように、自治体職員はポインタＰｔを、ガイドメッセージを含むポップアップ画面上の了解を表すボタン画像２１１に重畳して押下する操作を行う。これにより、ガイドメッセージを含むポップアップ画面は端末装置１００から消える。次いで、図２２に示すように、自治体職員はポインタＰｔを異動連絡票の出力対象の世帯員に重畳して選択する操作を行う。さらに、自治体職員は世帯離脱・喪失情報に出現した文字「後期加入」や年齢などを確認してポインタＰｔを異動連絡票起票画面の表示に関するボタン画像２２１に重畳して押下する操作を行う。これにより、端末装置１００は異動連絡票起票画面の起動要求を起動表示部２０３に送信する。起動表示部２０３は端末装置１００から異動連絡票起票画面の起動要求を受け付けると、異動連絡票起票画面に関する情報を端末装置１００に送信する。端末装置１００は起動表示部２０３から送信された情報を受け付けると、第１実施形態と同様に、旧国保被保険者についての異動連絡票起票画面を表示する。尚、後続の処理については基本的に第１実施形態と同様である。
【００６７】
ステップＳ２１３の処理が完了すると、図１５に示すように、起動表示部２０３は閉じるボタンの押下を検出するまで待機する（ステップＳ２１４：ＮＯ）。例えば、自治体職員が旧国保被保険者について特定同一世帯所属者異動連絡票を印刷装置に印刷させる場合、ポインタを異動連絡票の印刷に関するボタン画像に重畳して押下する操作を行う（図１３参照）。これにより、端末装置１００は確認メッセージを含むポップアップ画面を表示する。自治体職員がポインタを例えば印刷の続行を表すボタン画像に重畳して押下する操作を行うと、端末装置１００は特定同一世帯所属者異動連絡票を印刷装置に印刷させる。一方、図１５に示すように、起動表示部２０３は閉じるボタンの押下を検出すると（ステップＳ２１４：ＹＥＳ）、ステップＳ２１１の処理に戻り、再び、世帯判定部２０２は旧国保被保険者画面を表示する（図２１及び図２２参照）。
【００６８】
ここで、ステップＳ２１２の処理において、世帯判定部２０２は異動連絡票ボタンの押下を検出しないと（ステップＳ２１２：ＮＯ）、閉じるボタンの押下を検出するまで待機する（ステップＳ２１５：ＮＯ）。世帯判定部２０２は閉じるボタンの押下を検出すると（ステップＳ２１５：ＹＥＳ）、処理実行部２０１は世帯主変更画面を表示し（ステップＳ２１６）、処理を終了する。より詳しくは、旧国保被保険者画面（図２２参照）において、自治体職員がポインタＰｔを、旧国保被保険者画面を閉じるボタン画像２２２に重畳して押下する操作を行う。これにより、端末装置１００は世帯主変更画面の起動要求を処理実行部２０１に送信する。処理実行部２０１は端末装置１００から世帯主変更画面の起動要求を受け付けると、世帯主変更画面に関する情報を端末装置１００に送信する。端末装置１００は処理実行部２０１から送信された情報を受け付けると、世帯主変更画面を表示する。
【００６９】
尚、ステップＳ２０７の処理において、世帯判定部２０２は擬制世帯主が擬主喪失とならないと判定した場合（ステップＳ２０７：ＮＯ）、又は、ステップＳ２０８の処理において、旧国保被保険者が存在しないと判定した場合（ステップＳ２０８：ＮＯ）、更新完了メッセージと世帯主変更画面（図１９参照）を表示して（ステップＳ２１７）、処理を終了する。
【００７０】
以上、第２実施形態によれば、処理実行部２０１は擬制世帯の世帯主変更に関する入力を受け付けると、入力に応じて擬制世帯の世帯主変更の更新処理を実行する。世帯判定部２０２は更新処理の際に、世帯主変更の更新処理がなされた擬制世帯の世帯主が擬主喪失となる場合、旧国保被保険者が同一世帯に存在するか否かを判定する。起動表示部２０３は判定結果に応じて、旧国保被保険者の異動連絡票の起票に関する異動連絡票起票画面を起動する。これにより、異動連絡票の出力漏れを抑制することができる。
【００７１】
特に、自治体職員がボタン画像２０Ａを押下する操作を行うことにより、世帯主変更画面から旧国保被保険者画面に動的に遷移し、世帯主変更画面では現れない旧国保被保険者が旧国保被保険者画面上に現れる。これにより、自治体職員は旧国保被保険者の存在に気付き易くなり、旧国保被保険者について、異動連絡票の出力漏れを抑制することができる。
【００７２】
（第３実施形態）
続いて、図２３から図３２を参照して、第３実施形態に係る国保サーバ２００の動作について説明する。
【００７３】
図２３は第３実施形態に係る国保サーバ２００の動作の一例を示すフローチャートである。図２４は第３実施形態に係る初期メニュー画面の一例である。図２５は第３実施形態に係る資格喪失メニュー画面の一例である。図２６は第３実施形態に係る資格喪失画面の一例である。図２７は第３実施形態に係る異動者選択画面の一例である。
【００７４】
図２８は第３実施形態に係る更新完了メッセージの一例である。図２９は第３実施形態に係る警告メッセージの一例である。図３０は第３実施形態に係る旧被扶養者画面の一例である。図３１は第３実施形態に係る異動連絡票起票画面の一例である。図３２は第３実施形態に係る資格喪失画面の他の一例である。
【００７５】
まず、図２３に示すように、処理実行部２０１はメニュー画面を表示する（ステップＳ３０１）。より詳しくは、処理実行部２０１は端末装置１００から初期メニュー画面の起動要求を受け付けると、初期メニュー画面に関する情報を端末装置１００に送信する。端末装置１００は処理実行部２０１から送信された情報を受け付けると、図２４に示すように、初期メニュー画面を表示する。自治体職員はポインタＰｔを国保の資格に関するボタン画像２４１に重畳して選択する操作を行う。次いで、自治体職員はポインタＰｔを資格喪失に関するボタン画像２４２に重畳して選択する操作を行う。次いで、自治体職員はポインタＰｔを実行に関するボタン画像２４３に重畳して押下する操作を行う。これにより、端末装置１００は資格喪失メニュー画面の起動要求を処理実行部２０１に送信する。
【００７６】
処理実行部２０１は端末装置１００から資格喪失メニュー画面の起動要求を受け付けると、資格喪失メニュー画面に関する情報を端末装置１００に送信する。端末装置１００は処理実行部２０１から送信された情報を受け付けると、図２５に示すように、資格喪失メニュー画面を表示する。自治体職員はポインタＰｔを国内転出に関するボタン画像２５１に重畳して選択する操作を行う。次いで、自治体職員はポインタＰｔを実行に関するボタン画像２５２に重畳して押下する操作を行う。これにより、端末装置１００は資格喪失画面の起動要求を処理実行部２０１に送信する。
【００７７】
ステップＳ３０１の処理が完了すると、図２３に示すように、処理実行部２０１は資格喪失画面を表示する（ステップＳ３０２）。より詳しくは、処理実行部２０１は端末装置１００から資格喪失画面の起動要求を受け付けると、資格喪失画面に関する情報を端末装置１００に送信する。端末装置１００は処理実行部２０１から送信された情報を受け付けると、資格情報を含まない資格喪失画面を表示する。自治体職員は端末装置１００に表示された資格装置画面の入力欄に特定の世帯を表す記号番号や世帯番号を入力し、ポインタＰｔにより特定のボタン画像を押下すると、端末装置１００は入力欄に入力された記号番号や世帯番号を入力情報として処理実行部２０１に送信する。処理実行部２０１は入力情報を受け付けると、国保ＤＢ３００から入力情報に応じた資格情報を取得し、端末装置１００に送信する。これにより、図２６に示すように、端末装置１００は記号番号又は世帯番号に応じた特定の世帯の資格情報を含む資格喪失画面を表示する。図２６において、例えば世帯主は富士通清二であり、擬制世帯であることが表されている。資格喪失画面では、普通世帯であれば国保被保険者のみが世帯員として表示され、旧被扶養者は世帯員として表示されない制御が行われている。図２６では、擬制世帯であるため、世帯員として国保被保険者である富士通清美のみならず、国保被保険者でない富士通清二も表示されている。
【００７８】
ステップＳ３０２の処理が完了すると、図２３に示すように、処理実行部２０１は異動者選択ボタンの押下を検出するまで待機する（ステップＳ３０３：ＮＯ）。処理実行部２０１は異動者選択ボタンの押下を検出すると（ステップＳ３０３：ＹＥＳ）、異動者選択画面を表示する（ステップＳ３０４）。より詳しくは、図２６に示すように、資格情報を含む資格喪失画面において、自治体職員はポインタＰｔを異動者選択に関するボタン画像２６１に重畳して押下する操作を行う。これにより、端末装置１００は異動者選択画面の起動要求を処理実行部２０１に送信する。処理実行部２０１は端末装置１００から異動者選択画面の起動要求を受け付けると、異動者選択画面に関する情報を端末装置１００に送信する。端末装置１００は処理実行部２０１から送信された情報を受け付けると、図２７に示すように、異動者選択画面を表示する。
【００７９】
ステップＳ３０４の処理が完了すると、図２３に示すように、処理実行部２０１は実行ボタンの押下を検出するまで待機する（ステップＳ３０５：ＮＯ）。処理実行部２０１は実行ボタンの押下を検出すると（ステップＳ３０５：ＹＥＳ）、資格喪失の処理を実行する（ステップＳ３０６）。より詳しくは、図２７に示すように、資格情報を含む異動者選択画面において、自治体職員はポインタＰｔを資格喪失対象の世帯員に重畳して選択する操作を行う。次いで、自治体職員はポインタＰｔを実行に関するボタン画像２７１に重畳して押下する操作を行う。これにより、端末装置１００は資格喪失の更新処理に関する実行要求を処理実行部２０１に送信する。処理実行部２０１は端末装置１００から実行要求を受け付けると、資格喪失の更新処理を実行する。
【００８０】
ステップＳ３０６の処理が完了すると、図２７に示すように、世帯判定部２０２は旧被扶養者を含むか否かを判定する（ステップＳ３０７）。世帯判定部２０２はその世帯の資格情報に世帯員として旧被扶養者が存在する場合、旧被扶養者を含むと判定する（ステップＳ３０７：ＹＥＳ）。
【００８１】
世帯判定部２０２は旧被扶養者を含むと判定した場合、更新完了メッセージと資格喪失画面を表示する（ステップＳ３０８）。より詳しくは、世帯判定部２０２は、処理実行部２０１による資格喪失の更新処理が完了すると、更新完了を表す所定の更新完了メッセージと更新処理後の資格情報を端末装置１００に送信する。端末装置１００は更新完了メッセージと更新処理後の資格情報を受け付けると、図２８に示すように、更新処理後の資格情報を含む資格喪失画面を表示し、更新完了メッセージを含むポップアップ画面を資格喪失画面に重畳して表示する。図２８において、更新処理後の資格情報の一部として、例えば「転出国内  Ｈ２７．１０．２０」が示されている。
【００８２】
ステップＳ３０８の処理が完了すると、図２３に示すように、世帯判定部２０２は警告メッセージを表示する（ステップＳ３０９）。より詳しくは、図２８に示すように、自治体職員はポインタＰｔを、更新完了メッセージを含むポップアップ画面上の了解を表すボタン画像２８１に重畳して押下する操作を行う。これにより、端末装置１００は警告メッセージの表示要求を世帯判定部２０２に送信する。世帯判定部２０２は端末装置１００から表示要求を受け付けると、警告を表す所定の警告メッセージを端末装置１００に送信する。端末装置１００は警告メッセージを受け付けると、図２９に示すように、警告メッセージを含むポップアップ画面を資格喪失画面に重畳して表示する。すなわち、自治体職員がポインタＰｔをボタン画像２８１に重畳して押下する操作を行うと、端末装置１００は動的に警告メッセージを表示する。
【００８３】
ステップＳ３０９の処理が完了すると、図２３に示すように、世帯判定部２０２は旧被扶養者画面を表示する（ステップＳ３１０）。より詳しくは、図２９に示すように、自治体職員はポインタＰｔを、警告メッセージを含むポップアップ画面上の了解を表すボタン画像２９１に重畳して押下する操作を行う。これにより、端末装置１００は旧被扶養者画面の表示要求を世帯判定部２０２に送信する。世帯判定部２０２は端末装置１００から表示要求を受け付けると、旧被扶養者画面に関する情報を端末装置１００に送信する。端末装置１００は世帯判定部２０２から送信された情報を受け付けると、図３０に示すように、旧被扶養者画面を表示する。旧被扶養者画面では、受け付けた情報に含まれるプログラムによって対象となる旧被扶養者が動的に特定されているため、旧国保被保険者のように対象者を選択する手間が自治体職員にはない。このように、自治体職員がポインタＰｔをボタン画像２９１に重畳して押下する操作を行うと、資格喪失画面から旧被扶養者画面に動的に遷移する。旧被扶養者画面では国保被保険者に加え、旧被扶養者も世帯員として表示される制御が行われている。
【００８４】
ステップＳ３１０の処理が完了すると、図２３に示すように、世帯判定部２０２は異動連絡票ボタンの押下を検出したか否かを判定する（ステップＳ３１１）。世帯判定部２０２は異動連絡票ボタンの押下を検出すると（ステップＳ３１１：ＹＥＳ）、起動表示部２０３は異動連絡票起票画面を表示する（ステップＳ３１２）。より詳しくは、図３０に示すように、自治体職員はポインタＰｔを異動連絡票起票画面の表示に関するボタン画像３１１に重畳して押下する操作を行う。これにより、端末装置１００は異動連絡票起票画面の起動要求を起動表示部２０３に送信する。起動表示部２０３は端末装置１００から異動連絡票起票画面の起動要求を受け付けると、異動連絡票起票画面に関する情報を端末装置１００に送信する。端末装置１００は起動表示部２０３から送信された情報を受け付けると、図３１に示すように、旧被扶養者についての異動連絡票起票画面を表示する。
【００８５】
ステップＳ３１２の処理が完了すると、図２３に示すように、起動表示部２０３は閉じるボタンの押下を検出するまで待機する（ステップＳ３１３：ＮＯ）。例えば、自治体職員が旧被扶養者について旧被扶養者異動連絡票を印刷装置に印刷させる場合、図３１に示すように、ポインタＰｔを異動連絡票の印刷に関するボタン画像３２１に重畳して押下する操作を行う。これにより、端末装置１００は確認メッセージを含むポップアップ画面を表示する。自治体職員がポインタＰｔを例えば印刷の続行を表すボタン画像３２２に重畳して押下する操作を行うと、端末装置１００は旧被扶養者異動連絡票を印刷装置に印刷させる。一方、図２３に示すように、起動表示部２０３は閉じるボタンの押下を検出すると（ステップＳ３１３：ＹＥＳ）、ステップＳ３１０の処理に戻り、再び、世帯判定部２０２は旧被扶養者画面を表示する（図３０参照）。
【００８６】
ここで、ステップＳ３１１の処理において、世帯判定部２０２は異動連絡票ボタンの押下を検出しないと（ステップＳ３１１：ＮＯ）、閉じるボタンの押下を検出するまで待機する（ステップＳ３１４：ＮＯ）。世帯判定部２０２は閉じるボタンの押下を検出すると（ステップＳ３１４：ＹＥＳ）、処理実行部２０１は資格喪失画面を表示し（ステップＳ３１５）、処理を終了する。より詳しくは、旧被扶養者画面（図３０参照）において、自治体職員がポインタＰｔを、旧被扶養者画面を閉じるボタン画像３１２に重畳して押下する操作を行う。これにより、端末装置１００は資格喪失画面の起動要求を処理実行部２０１に送信する。処理実行部２０１は端末装置１００から資格喪失画面の起動要求を受け付けると、資格喪失画面に関する情報を端末装置１００に送信する。端末装置１００は処理実行部２０１から送信された情報を受け付けると、図３２に示すように、資格喪失画面を表示する。
【００８７】
尚、ステップＳ３０７の処理において、世帯判定部２０２は旧被扶養者を含まないと判定した場合（ステップＳ３０７：ＮＯ）、更新完了メッセージと資格喪失画面（図２８参照）を表示して（ステップＳ３１６）、処理を終了する。
【００８８】
以上、第３実施形態によれば、処理実行部２０１は国保被保険者の資格喪失に関する入力を受け付けると、入力に応じて国保被保険者の資格喪失の更新処理を実行する。世帯判定部２０２は資格喪失の更新処理がなされた国保被保険者に旧被扶養者が含まれるか否かを判定する。起動表示部２０３は判定結果に応じて、旧被扶養者の異動連絡票の起票に関する異動連絡票起票画面を起動する。これにより、異動連絡票の出力漏れを抑制することができる。
【００８９】
特に、自治体職員がボタン画像２９１を押下する操作を行うことにより、資格喪失画面から旧被扶養者画面に動的に遷移し、資格喪失画面では現れない旧被扶養者が旧被扶養者画面上に現れる。これにより、自治体職員は旧被扶養者の存在に気付き易くなり、旧被扶養者について、異動連絡票の出力漏れを抑制することができる。
【００９０】
以上、本発明の好ましい実施形態について詳述したが、本発明に係る特定の実施形態に限定されるものではなく、特許請求の範囲に記載された本発明の要旨の範囲内において、種々の変形・変更が可能である。
【符号の説明】
【００９１】
Ｓ  国保管理システム
１００  端末装置
２００  国保サーバ
２０１  処理実行部
２０２  世帯判定部
２０３  起動表示部
３００  国保ＤＢ
【図１】
2018010527.tif 000003
【図２】
2018010527.tif 000004
【図３】
2018010527.tif 000005
【図４】
2018010527.tif 000006
【図５】
2018010527.tif 000007
【図６】
2018010527.tif 000008
【図７】
2018010527.tif 000009
【図８】
2018010527.tif 000010
【図９】
2018010527.tif 000011
【図１０】
2018010527.tif 000012
【図１１】
2018010527.tif 000013
【図１２】
2018010527.tif 000014
【図１３】
2018010527.tif 000015
【図１４】
2018010527.tif 000016
【図１５】
2018010527.tif 000017
【図１６】
2018010527.tif 000018
【図１７】
2018010527.tif 000019
【図１８】
2018010527.tif 000020
【図１９】
2018010527.tif 000021
【図２０】
2018010527.tif 000022
【図２１】
2018010527.tif 000023
【図２２】
2018010527.tif 000024
【図２３】
2018010527.tif 000025
【図２４】
2018010527.tif 000026
【図２５】
2018010527.tif 000027
【図２６】
2018010527.tif 000028
【図２７】
2018010527.tif 000029
【図２８】
2018010527.tif 000030
【図２９】
2018010527.tif 000031
【図３０】
2018010527.tif 000032
【図３１】
2018010527.tif 000033
【図３２】
2018010527.tif 000034